(57)【要約】      （修正有）【課題】ラッチが係止姿勢と非係止姿勢とに渡って長期間スムーズに回動するようにしたラッチ装置を提供する。【解決手段】開閉体２０に設けるラッチ本体部３０ａを、係止部４１とトリガ部４２を有したラッチ３３に軸部４０を設け、この軸部４０を内ケース３２の軸支承孔３８に被係止部３０ｂに接近及び離隔する方向に移動自在で、回動自在に嵌め合うことで、ラッチ３３を内ケース３２に係止姿勢と非係止姿勢に渡って回動すると共に、被係止部３０ｂに接近及び離隔する方向に移動自在で、かつばね３５で被係止部３０ｂに接近した位置に保持したものとし、ラッチ３３が係止姿勢で枠体１０に設ける被係止部３０ｂに向けて移動すると、係止部４１が被係止部３０ｂに沿って滑ってラッチ３３が、軸部４０とともに軸支承孔３８に沿って被係止部３０ｂと離れる方向に移動し、閉じ位置で係止部４１が被係止部３０ｂに係止するようにした。【選択図】図２
2014198993.tif 000002
【特許請求の範囲】
【請求項１】
開閉体に設けられるラッチ本体部と、枠体に設けられる被係止部とを備え、ラッチ本体部が被係止部に係止することで閉じ位置の開閉体の開き移動を規制するラッチ装置であって、
前記ラッチ本体部は、係止部とトリガ部を有したラッチを備え、
該ラッチは、軸部を中心として係止姿勢と非係止姿勢に回動すると共に、軸部とともに被係止部に接近及び離隔する方向に移動自在で、かつばねで被係止部に接近する位置に保持され、
前記ラッチが係止姿勢のときには、係止部が被係止部に係止し、非係止姿勢のときには、係止部が被係止部と離れ、かつトリガ部が被係止部の一方の側面と対向し、
前記ラッチが非係止姿勢で開閉方向閉じ側に移動すると、トリガ部が被係止部の一方の側面に接してラッチが係止姿勢に向けて回動し、閉じ位置でラッチが係止姿勢に回動して係止部が被係止部の他方の側面に接して係止し、
前記ラッチが係止姿勢で開閉方向閉じ側に移動すると、係止部が被係止部の一方の側面に沿って滑ることでラッチが軸部とともにばねに抗して被係止部と離隔する方向に移動し、閉じ位置でラッチがばねで前記被係止部に接近する位置に移動して係止部が被係止部の他方の側面に接して係止するようにしたことを特徴とするラッチ装置。
【請求項２】
前記ラッチ本体部は、本体部材と、この本体部材に設けられ被係止部に接近及び離隔する方向の長孔である軸部支承孔を有したラッチ取付部材を備え、
前記ラッチは軸部を一体的に有し、この軸部を前記軸部支承孔に回動及び被係止部に接近及び離隔する方向に移動可能に嵌め合わせてラッチを係止姿勢と非係止姿勢に回動自在で、被係止部に接近及び離隔する方向に移動自在とし、
前記ラッチをばねにより前記被係止部に接近する位置に保持した請求項１に記載のラッチ装置。
【請求項３】
前記ラッチ取付部材は本体部材に、本体部材の被係止部と対向した一側面から突出した第１の位置と、本体部材に収容した第２の位置とに渡って被係止部に接近及び離隔する方向に移動自在で、ばねにより前記第１の位置に保持して設け、
前記ラッチはラッチ取付部材に、係止部及びトリガ部がラッチ取付部材よりも被係止部側に突出した突出位置と、係止部及びトリガ部がラッチ取付部材に収容した収納位置とに渡って被係止部に接近及び離隔する方向に移動自在で、ばねにより突出位置に保持して設けた請求項２に記載のラッチ装置。
【請求項４】
前記ラッチ取付部材に、ラッチを係止姿勢及び非係止姿勢に位置決めして保持するラッチ保持部材を被係止部に接近及び離隔する方向に移動自在に設け、
このラッチ保持部材に被係止部に接近及び離隔する方向に向かう杆体を設け、この杆体に挿通して設けたばねでラッチ保持部材を被係止部側に移動することで、ラッチ取付部材を第１の位置に保持し、ラッチを突出位置に保持した請求項３に記載のラッチ装置。
【請求項５】
枠体に開閉体を開閉自在に取り付けた建具であって、
前記開閉体に、請求項１〜４いずれか１項に記載のラッチ本体部を取り付け、前記枠体に、請求項１〜４いずれか１項に記載の被係止部を設け、
前記開閉体が開き位置のときに、ラッチ本体部のラッチが非係止姿勢の状態で、開閉体を閉じ移動するとラッチのトリガ部が被係止部に接して係止姿勢に向けて回動し、ラッチ本体部のラッチが係止姿勢の状態で、開閉体を閉じ移動するとラッチの係止部が被係止部に沿って滑ることで被係止部と離れる方向に移動し、
前記開閉体が閉じ位置のときに、前記ラッチが係止姿勢で、その係止部が被係止部に係止するようにしたことを特徴とする建具。
【発明の詳細な説明】
【技術分野】
【０００１】
本発明は、ラッチ装置、及びこのラッチ装置を備えた建具に関する。
【背景技術】
【０００２】
枠体に開閉体を閉じ位置と開き位置とに亘って開閉自在に取り付けた建具にあっては、閉じ位置の開閉体の開き移動を規制するラッチ装置を備えている。
このラッチ装置としては、特許文献１に開示したように、開閉体に取り付けたラッチ本体部と、枠体に設けた被係止部を備え、ラッチ本体部は、本体部材にラッチ取付部材を上下動自在でばねにより上方位置に保持して設け、そのラッチ取付部材にラッチを軸により係止姿勢と非係止姿勢とに回動自在に取り付けてある。
そして、ラッチが非係止姿勢で開閉体を閉じ位置に移動すると、ラッチのトリガ部が被係止部に接してラッチが係止姿勢に回動し、ラッチの係止部が被係止部の閉じ側面に接して開閉体の開き移動を規制する。
ラッチが係止姿勢で開閉体を閉じ位置に移動すると、ラッチの係止部が被係止部の開き側面に接してラッチがラッチ取付部材とともに下方に移動して被係止部を越えるとラッチがラッチ取付部材とともに上方に移動して係止部が被係止部の閉じ側面に接して開閉体の開き移動を規制する。
【先行技術文献】
【特許文献】
【０００３】
【特許文献１】特許第４１９１１４７号公報
【発明の概要】
【発明が解決しようとする課題】
【０００４】
前述した従来のラッチ装置であれば、ラッチが非係止姿勢及び係止姿勢で開閉体を閉じ位置に移動することにより開閉体の開き移動を規制することができる。
しかしながら、ラッチの係止部が被係止部の開き側面に接してラッチがラッチ取付部材とともに下方に移動するとき、ラッチ取付部材とラッチを回動自在に連結する軸に大きな負荷がかかり、長期間の使用によって軸が変形や損傷の原因によりラッチが係止姿勢と非係止姿勢とに渡ってスムーズに回動できなくなることがある。
【０００５】
本発明の目的は、ラッチが非係止姿勢の状態及び係止姿勢の状態で開閉体を閉じ位置に移動して開閉体の開き移動を規制できると共に、ラッチが係止姿勢と非係止姿勢とに渡って長期間スムーズに回動するようにしたラッチ装置及び、そのラッチ装置を備えた建具とすることである。
【課題を解決するための手段】
【０００６】
本発明は、開閉体に設けられるラッチ本体部と、枠体に設けられる被係止部とを備え、ラッチ本体部が被係止部に係止することで閉じ位置の開閉体の開き移動を規制するラッチ装置であって、
前記ラッチ本体部は、係止部とトリガ部を有したラッチを備え、
該ラッチは、軸部を中心として係止姿勢と非係止姿勢に回動すると共に、軸部とともに被係止部に接近及び離隔する方向に移動自在で、かつばねで被係止部に接近する位置に保持され、
前記ラッチが係止姿勢のときには、係止部が被係止部に係止し、非係止姿勢のときには、係止部が被係止部と離れ、かつトリガ部が被係止部の一方の側面と対向し、
前記ラッチが非係止姿勢で開閉方向閉じ側に移動すると、トリガ部が被係止部の一方の側面に接してラッチが係止姿勢に向けて回動し、閉じ位置でラッチが係止姿勢に回動して係止部が被係止部の他方の側面に接して係止し、
前記ラッチが係止姿勢で開閉方向閉じ側に移動すると、係止部が被係止部の一方の側面に沿って滑ることでラッチが軸部とともにばねに抗して被係止部と離隔する方向に移動し、閉じ位置でラッチがばねで前記被係止部に接近する位置に移動して係止部が被係止部の他方の側面に接して係止するようにしたことを特徴とするラッチ装置である。
【０００７】
本発明のラッチ装置においては、前記ラッチ本体部は、本体部材と、この本体部材に設けられ被係止部に接近及び離隔する方向の長孔である軸部支承孔を有したラッチ取付部材を備え、
前記ラッチは軸部を一体的に有し、この軸部を前記軸部支承孔に回動及び被係止部に接近及び離隔する方向に移動可能に嵌め合わせてラッチを係止姿勢と非係止姿勢に回動自在で、被係止部に接近及び離隔する方向に移動自在とし、
前記ラッチをばねにより前記被係止部に接近する位置に保持することができる。
このようにすれば、軸部がラッチに一体的に設けてあるから、軸部がラッチから抜けたりすることがないので、軸部が本体部材に接触して移動不良となることがなく、開閉体が閉じ位置でロックされることを防止できる。
【０００８】
本発明のラッチ装置においては、前記ラッチ取付部材は本体部材に、本体部材の被係止部と対向した一側面から突出した第１の位置と、本体部材に収容した第２の位置とに渡って被係止部に接近及び離隔する方向に移動自在で、ばねにより前記第１の位置に保持して設け、
前記ラッチはラッチ取付部材に、係止部及びトリガ部がラッチ取付部材よりも被係止部側に突出した突出位置と、係止部及びトリガ部がラッチ取付部材に収容した収納位置とに渡って被係止部に接近及び離隔する方向に移動自在で、ばねにより突出位置に保持して設けることができる。
このようにすれば、ラッチ取付部材とラッチを本体部材に収容できるので、開閉体を天地逆置き時にラッチ取付部材、ラッチを破損等しないように保護できる。
【０００９】
本発明のラッチ装置においては、前記ラッチ取付部材に、ラッチを係止姿勢及び非係止姿勢に位置決めして保持するラッチ保持部材を被係止部に接近及び離隔する方向に移動自在に設け、
このラッチ保持部材に被係止部に接近及び離隔する方向に向かう杆体を設け、この杆体に挿通して設けたばねでラッチ保持部材を被係止部側に移動することで、ラッチ取付部材を第１の位置に保持し、ラッチを突出位置に保持することができる。
このようにすれば、バネの座屈を防止できると共に、ビビリ音を低減できる。
【００１０】
本発明の建具は、枠体に開閉体を開閉自在に取り付けた建具であって、
前記開閉体に、請求項１〜４いずれか１項に記載のラッチ本体部を取り付け、前記枠体に、請求項１〜４いずれか１項に記載の被係止部を設け、
前記開閉体が開き位置のときに、ラッチ本体部のラッチが非係止姿勢の状態で、開閉体を閉じ移動するとラッチのトリガ部が被係止部に接して係止姿勢に向けて回動し、ラッチ本体部のラッチが係止姿勢の状態で、開閉体を閉じ移動するとラッチの係止部が被係止部に沿って滑ることで被係止部と離れる方向に移動し、
前記開閉体が閉じ位置のときに、前記ラッチが係止姿勢で、その係止部が被係止部に係止するようにしたことを特徴とする建具である。
【発明の効果】
【００１１】
本発明のラッチ装置によれば、ラッチが非係止姿勢の状態及び係止姿勢の状態で、開閉体を閉じ位置に移動して開閉体の開き移動を規制できる。
しかも、ラッチは軸部とともに被係止部と離れる方向に移動するので、長期間使用しても軸部が変形、損傷することがなく、ラッチが係止姿勢と非係止姿勢とに渡って長期間スムーズに回動するようにできる。
【図面の簡単な説明】
【００１２】
【図１】建具としての折れ戸の正面図である。
【図２】建具のラッチ装置の取付部分を拡大した詳細断面図である。
【図３】図２のＡ−Ａ断面図である。
【図４】ラッチ本体部を分解した一側斜視図である。
【図５】ラッチ本体部を分解した他側斜視図である。
【図６】内ケースとラッチを外ケースに収容する動作説明図である。
【図７】ラッチ装置の動作説明図である。
【図８】ラッチ装置の動作説明図である。
【図９】第２の実施形態を示すラッチ本体部の斜視図である。
【図１０】ラッチ本体部の平面図である。
【図１１】ラッチ装置の動作説明図である。
【図１２】図１０のＢ−Ｂ断面図である。
【図１３】内ケースの斜視図である。
【発明を実施するための形態】
【００１３】
図１に示すように、枠体１０に開閉体２０を開閉自在に取り付けて建具としてある。
図１に示す建具は浴室用の折れ戸で、枠体１０は上枠１１と下枠１２と左右一方の縦枠１３と左右他方の縦枠１４を方形状に連結してある。
開閉体２０は、左右一方の障子２０ａと左右他方の障子２０ｂを有し、左右一方の障子２０ａの中央側の縦框２１と左右他方の障子２０ｂの中央側の縦框２２を折曲自在に連結してある。
左右一方の障子２０ａの戸尻側の縦框２３を、上枠１１、下枠１２に面外方向に回動自在に支持し、左右他方の障子２０ｂの戸先側の縦框２４を上枠１１、下枠１２に沿って面内方向に摺動自在に支承している。
【００１４】
そして、把手２５を持って左右他方の障子２０ｂに開き方向の操作力を付与し、その障子２０ｂを面外方向における枠体１０から離れる方向（浴室側）に引くことで、左右一方の障子２０ａと左右他方の障子２０ｂがその両方の障子を連結する連結部において浴室側に突出するように折れ曲がり、左右一方の障子２０ａが戸尻側の縦框２３を中心として浴室側に回動し、左右他方の障子２０ｂの戸先側の縦框２４が上枠１１、下枠１２に沿って面内方向の左右一方側に摺動することで、両方の障子２０ａ，２０ｂは重なり合って面外方向一側方である浴室側に張り出した開き位置に移動する。
前述の状態から把手２５を持って左右他方の障子２０ｂに閉じ方向の操作力を付与し、その障子２０ｂを面内方向の左右他方側に引張りながら脱衣室側に向けて押すことで、両方の障子２０ａ，２０ｂは図１に示す閉じ位置に移動する。
本発明の建具は、折れ戸に限ることはなく、開き戸、引き戸、内開き窓、外開き窓、内倒し窓、外倒し窓などでも良い。
つまり、本発明の建具は、開閉体２０が開き位置と閉じ位置に亘って移動する建具であれば良い。
【００１５】
左右一方の障子２０ａの中央側の縦框２１と上枠１１とに亘ってラッチ装置３０が取り付けてある。
このラッチ装置３０は、両方の障子２０ａ，２０ｂが閉じ位置のときに、所定の風圧力などによって勝手に開くことがないようにしたり、把手２５を所定の操作力で引いても開き側に移動しようとして両方の障子２０ａ，２０ｂが開き側に移動しないようにして、開き移動を規制し、把手２５を所定の操作力よりも大きな操作力で引くことで両方の障子２０ａ，２０ｂが開き側に移動するようにしてある。
このラッチ装置３０は、中央側の縦框２１と下枠１２に亘って取り付けても良いし、他方の中央側の縦框２２と上枠１１とに亘って取り付けても良い。
【００１６】
図２は建具（折れ戸）のラッチ装置３０を取り付けた部分の拡大詳細断面図で、一方の障子２０ａ（縦框２１）を仮想線で図示し、枠体１０（上枠１１）を実線で図示している。
図２において、開閉体２０は面外方向（図２の左右方向）に開閉し、面外方向一側が閉じ側、面外方向他側が開き側であるので、面外方向を開閉方向、面外方向一側を開閉方向閉じ側、面外方向他側を開閉方向開き側とする。また、図２における上下方向が面内方向である。
図２に示すように、ラッチ装置３０は、一方の障子２０ａの中央側の縦框２１（つまり、開閉体２０）に設けられるラッチ本体部３０ａと、上枠１１（つまり、枠体１０）に設けられる被係止部３０ｂを備え、このラッチ本体部３０ａと被係止部３０ｂは図２に示す閉じ状態において面内方向である上下方向に対向している。
【００１７】
図２に示すように、上枠１１の面内方向の内側面１５は、その上枠１１の開閉方向に向かい、その内側面１５の開閉方向の中間に、前述の被係止部３０ｂである上レール１６を長手方向に連続して有し、その上枠１１の開閉方向閉じ側（図２の右側）には内側面１５よりも下方に突出した戸当り部１７を有し、この戸当り部１７に気密材１８が開閉方向開き側（図２の左側）に向けて開閉体２０である障子２０ａ，２０ｂと対向して取り付けてある。
【００１８】
次に、ラッチ装置３０の詳細を説明する。なお、ラッチ本体部３０ａにおける被係止部３０ｂに接近及び離隔する方向を面内方向とし、被係止部３０ｂに接近する方向を面内方向一側方、離隔する方向を面内方向他側方、被係止部３０ｂ側を面内方向一側、被係止部３０ｂと反対側を面内方向他側として説明する。
ラッチ本体部３０ａは、そのラッチ本体部３０ａを縦框２１に取り付けるための本体部材、例えば外ケース３１と、この外ケース３１に面内方向（上下方向）に移動自在に設けたラッチ取付部材、例えば内ケース３２と、この内ケース３２に開閉方向に向けて係止姿勢と非係止姿勢とに亘って回動自在で、面内方向に移動自在に設けたラッチ３３と、内ケース３２に対して面内方向に移動可能で、ラッチ３３を係止姿勢、非係止姿勢に保持するラッチ保持部材３４と、このラッチ保持部材３４を被係止部３０ｂに接近する方向である面内方向一側方（上方）に移動するばね３５を備えている。
【００１９】
図２乃至図５に示すように、外ケース３１は開閉方向に対向し、開閉方向と直角方向に向かう第１壁３１ａ、第２壁３１ｂと、開閉方向と直角方向に対向し、開閉方向に向かう第３壁３１ｃ、第４壁３１ｄと、面内方向他側壁３１ｅとで面内方向一側面３１ｆが開口した内ケース取付用の凹部３１ｇを有した筒状で、面内方向他側壁３１ｅには透孔３１ｈが形成してある。
第１壁３１ａが開閉方向閉じ側で、第２壁３１ｂが開閉方向開き側である。
【００２０】
内ケース３２は、外ケース３１の凹部３１ｇ内に挿入して面内方向に移動自在に支持される基部３６と、この基部３６の面内方向一側部（被係止部３０ｂ側部）に設けたラッチ取付部３７を備えている。
基部３６は開閉方向に対向し、開閉方向と直角方向に向かう第１壁３６ａ、第２壁３６ｂと、この第１壁３６ａと第２壁３６ｂを連結する開閉方向に向かう第３壁３６ｃとでコ字形状で、外ケース３１の凹部３１ｇ内に、その第１壁３１ａ、第２壁３１ｂ、第３壁３１ｃの内面に沿って面内方向に移動自在に挿入される。
外ケース３１の第２壁３１ｂの内面３１ｂ−１は、その面内方向一側寄りにラッチ３３が入り込む溝３１ｂ−２が形成してある。
溝３１ｂ−２は、第２壁３１ｂの内面３１ｂ−１の開閉方向と直角方向の中間に形成され、溝３１ｂ−２は面内方向一側面３１ｆに開口している。
溝３１ｂ−２の開閉方向と直角方向の両側に第２壁３１ｂの内面３１ｂ−１が存在し、その内面３１ｂ−１は面内方向他側壁３１ｅまで連続している。
【００２１】
ラッチ取付部３７は、開閉方向に向かい、開閉方向と直角方向に間隔を置いて対向した一対のラッチ取付壁３７ａ，３７ａを備え、この一対のラッチ取付壁３７ａは開閉方向と直角方向に貫通し面内方向の長孔である軸部支承孔３８を有している。
一対のラッチ取付壁３７ａの対向した内面には、軸部支承孔３８の面内方向他側部を、ラッチ取付壁３７ａの開閉方向開き側（基部３６の第２壁３６ｂ側）まで連続する開閉方向に向かう溝３９を有する。この溝３９はラッチ取付壁３７ａの開閉方向開き側ではなく、開閉方向閉じ側（基部３６の第１壁３６ａ側）まで連続するようにしても良い。
ラッチ取付部３７の一対のラッチ取付壁３７ａの開閉方向開き側面３７ａ−１が、外ケース３１の第２壁３１ｂの内面３１ｂ−１における溝３１ｂ−２の開閉方向と直角方向の両側の内面３１ｂ−１に接する。
【００２２】
ラッチ３３の開閉方向と直角方向の厚さは、内ケース３２の一対のラッチ取付壁３７ａ間に挿入する厚さで、その厚さ方向の両側面に、軸部支承孔３８に沿って移動自在で、開閉方向に回動自在に嵌まり合うと共に、溝３９に沿って移動自在な大きさの軸部４０が、開閉方向と直角方向に突出して有する。
【００２３】
ラッチ３３は、軸部４０よりも面内方向一側寄り（被係止部３０ｂ寄り）における開閉方向閉じ側に係止部４１を有し、軸部４０よりも面内方向一側寄りにおける開閉方向開き側にトリガ部４２を有し、ラッチ３３の軸部４０よりも面内方向一側寄り部分は係止部４１とトリガ部４２とでほぼＶ字形状もしくは凹形状となっている。
ラッチ３３の軸部４０よりも面内方向他側寄り（被係止部３０ｂと反対側寄り）における開閉方向閉じ側に第１保持部である第１凹部４３を有し、軸部４０よりも面内方向他側寄りにおける開閉方向開き側に第２保持部である第２凹部４４を有している。
【００２４】
ラッチ３３はラッチ取付部３７に、その軸部４０を軸部支承孔３８に嵌め合うことで、係止姿勢と非係止姿勢とに渡って開閉方向に回動自在で、面内方向に移動自在に取り付けられる。
【００２５】
そして、ラッチ３３はラッチ取付部３７に次のようにして取り付ける。
ラッチ３３の両側面から突出した軸部４０を一対のラッチ取付壁３７ａの溝３９に嵌め合わせてラッチ３３を一対のラッチ取付壁３７ａ間に挿入し、軸部４０を溝３９に沿って移動することで軸部支承孔３８の面内方向他側部に嵌め合わせ、軸部４０を軸部支承孔３８で面内方向に移動自在で、開閉方向に回動自在に支承し、ラッチ３３をラッチ取付部３７に係止姿勢と非係止姿勢に回動自在で、面内方向に移動自在に取り付ける。
【００２６】
このように、軸部４０を備えたラッチ３３を一対のラッチ取付壁３７ａ間に、その軸部４０で面内方向に移動自在で、係止姿勢と非係止姿勢に回動自在に取り付けできるから、軸部４０をラッチ３３に一体に設けることができる。
例えば、樹脂材などで軸部４０を備えたラッチ３３を製作できる。
しかも、溝３９を設けたことにより軸部４０を軸部支承孔３８に挿入させ易く、軸部４０を有したラッチ３３を容易に取り付けることができる。
【００２７】
ラッチ３３を回動自在とする軸部４０がラッチ３３と一体であることにより、その軸部４０がラッチ３３から抜ける方向に移動することがないので、軸部４０が外ケース３１に接触してラッチ３３の面内方向の移動不良となり、ラッチ３３が後述する非係止姿勢で被係止部３０ｂに噛み込み、一方の障子２０ａが閉じ位置でロックされる状態、つまり閉じ込め状態を防止できる。
【００２８】
軸部４０は、ラッチ３３と別体とし、ラッチ３３に固着しても良い。
つまり、ラッチ３３に軸部４０を一体的に設ければ良い。
なお、軸部４０を軸とし、ラッチ３３に軸挿通孔を形成し、軸を軸支承孔から軸挿通孔に挿通し、カシメ等の手段で軸が軸挿通孔から抜けないように固定しても良い。
【００２９】
ラッチ保持部材３４の開閉方向と直角方向の厚さは一対のラッチ取付壁３７ａ間に挿入する厚さである。
ラッチ保持部材３４は内ケース３２の基部３６の第１壁３６ａの内面と第２壁３６ｂの内面に接する面内方向他側に向かう開閉方向一対のガイド片５０，５０を有し、この一対のガイド片５０で内ケース３２（基部３６）に面内方向に移動自在に支承される。
ラッチ保持部材３４の面内方向一側部には、ラッチ３３の第１凹部４３が嵌まり合うことでラッチ３３を前述の非係止姿勢に位置決めして保持すると共に、ラッチ３３の第２凹部４４が嵌まり合うことでラッチ３３を非係止姿勢に位置決めして保持する突部５１を有する。
【００３０】
ラッチ保持部材３４は、ばね３５を支承するための杆体５２を面内方向他側に向けて有し、この杆体５２の先端部は二又状に分岐して一対の係止片５３としてある。
この杆体５２にばね３５を挿通して取り付け、その状態でラッチ保持部材３４を内ケース３２内に挿入し、内ケース３２を外ケース３１の凹部３１ｇ内に挿入することで、杆体５２の一対の係止片５３を外ケース３１の面内方向他側壁３１ｅの透孔３１ｈから突出することで、ばね３５がラッチ保持部材３４の面内方向他側部と外ケース３１の面内方向他側壁３１ｅに接し、ばね３５のばね力でラッチ保持部材３４とともに杆体５２が面内方向一側方（上方）に移動し、一対の係止片５３が外ケース３１の面内方向他側壁３１ｅの透孔３１ｈの周縁に接することでラッチ保持部材３４、ラッチ３３及び内ケース３２が図２、図３に示す状態となる。
具体的には、内ケース３２は外ケース３１の被係止部３０ｂと対向した一側面である面内方向一側面３１ｆから突出した第１の位置に保持され、ラッチ３３は内ケース３２に、係止部４１及びトリガ部４２が内ケース３２の被係止部側である面内方向一側方に突出した突出位置に保持される。
これにより、ラッチ３３は被係止部３０ｂに接近する位置である面内方向一側位置に保持される。
【００３１】
つまり、図３に示すようにラッチ保持部材３４の突部５１が一対のラッチ取付壁３７ａ間に挿入すると共に、ラッチ保持部材３４の開閉方向と直角方向に突出した一側突部５４、他側突部５５が一対のラッチ取付壁３７ａの面内方向他側面に接して内ケース３２がばね３５で面内方向一側方（上方）に移動され、基部３６の第３壁３６ｃに設けたストッパ３６ｄが、外ケース３１の第３壁３１ｃに形成したストッパ受部３１ｉに当接して内ケース３２を前述の第１の位置である面内方向一側位置（上方位置）に位置決めすると共に、一側突部５４、他側突部５５がラッチ取付壁３７ａに接することで内ケース３２を外ケース３１に対して面内方向一側位置（上方位置）に位置決めし、内ケース３２の外ケース３１の面内方向一側面３１ｆからの最大突出量を規定の値とする。
ラッチ３３はラッチ保持部材３４（突部５１）で前述の突出位置である面内方向一側位置（作動位置）に保持される。
【００３２】
また、杆体５２の面内方向一側部がラッチ保持部材３４の一側突部５４、他側突部５５で内ケース３２に支持され、杆体５２の面内方向他側部が外ケース３１の面内方向他側壁３１ｅで支持されているから、この杆体５２に挿入して設けたばね３５を安定して支持できる。
【００３３】
一側突部５４は内ケース３２の基部３６の第１壁３６ａ、第２壁３６ｂの内面における第３壁３６ｃ寄りのガイド突条３６ｅに沿って摺動ガイドされ、他側突部５５は開閉方向の長さが一側突部５４よりも長く、内ケース３２の基部３６の第１壁３６ａ、第２壁３６ｂの内面に沿って摺動ガイドされる。
このように、一側突部５４、他側突部５５はラッチ保持部材３４を内ケース３２に沿って面内方向に移動するガイドの役目を有している。
【００３４】
しかも、他側突部５５の開閉方向長さが一側突部５４の開閉方向の長さよりも長く、一対のガイド突条３６ｅ間の開閉方向寸法よりも大きいので、ラッチ保持部材３４は一側突部５４が第３壁３６ｃ側となる向き、つまり突部５１が図２に示すように開閉方向開き側となる向きとして内ケース３２内に挿入できるが、ラッチ保持部材３４を他側突部５５が第３壁３６ｃ側となる向きとして内ケース３２内に挿入しようとすると、他側突部５５が内ケース３２のガイド突条３６ｅ間に挿入できずに干渉してしまう。
したがって、一側突部５４、他側突部５５はラッチ保持部材３４を内ケース３２内に挿入する向きを規定し、異なる向きで挿入することを防止する役目をも有する。
【００３５】
内ケース３２が図２、図３に示す面内方向一側位置のときには、内ケース３２の面内方向他端面３２ａと外ケース３１の面内方向他側壁３１ｅは面内方向に離れ、その離隔寸法Ｓ１は内ケース３２（ラッチ取付部３７）の外ケース３１の面内方向一側面３１ｆからの突出寸法Ｓ２よりも大きい。
これにより、内ケース３２をばね３５に抗して面内方向他側方に移動することで、内ケース３２を外ケース３１内に収容した第２の位置である面内方向他側位置とすることができる。
つまり、内ケース３２が外ケース３１の面内方向一側面３１ｆから突出しない状態とすることができる。
【００３６】
内ケース３２、ラッチ３３及びラッチ保持部材３４が図２、図３に示す面内方向一側位置のときのラッチ３３の面内方向一側部と内ケース３２（ラッチ取付部３７）の面内方向一側部との間の面内方向寸法、つまりラッチ３３の内ケース３２からの最大突出寸法Ｓ３は、軸部４０の軸部支承孔３８に沿う最大移動量Ｓ４、つまりラッチ３３の内ケース３２に対する面内方向他側に向かう最大移動量Ｓ４よりも小さい。
これにより、ラッチ３３を内ケース３２とともに外ケース３１内に収容された収容位置まで移動することができる。
【００３７】
このようであるから、図６（ａ）に示すように、内ケース３２、ラッチ３３及びラッチ保持部材３４が面内方向一側位置で、ラッチ３３が非係止姿勢の状態から、ラッチ３３（トリガ部４２）を矢印で示すように面内方向他側方に押すと、ラッチ３３がラッチ保持部材３４とともにばね３５を圧縮しながら内ケース３２に対して面内方向他側方に移動し、ラッチ３３と内ケース３２が面内方向に同一位置となる。
この後は、ラッチ３３と内ケース３２が外ケース３１に対して面内方向他側方に移動し、内ケース３２とラッチ３３を図６（ｂ）に示すように外ケース３１内に収容し、内ケース３２とラッチ３３が外ケース３１の面内方向一側面３１ｆから突出しないようにできる。
【００３８】
したがって、図１に示す障子２０ａ，２０ｂのように、上部にラッチ本体部３０ａを備えた開閉体２０を、建具の運搬や施工時などに天地を逆にして床面に置いた場合に、内ケース３２とラッチ３３が図６（ｂ）に示すように外ケース３１内に収容されるので、開閉体２０を天地逆置き時に内ケース３２、ラッチ３３に大きな負荷を与えることがなく、内ケース３２、ラッチ３３を破損等しないように保護できる。
【００３９】
内ケース３２が外ケース３１の面内方向一側面３１ｆよりも面内方向一側方に突出しているのは、ラッチ３３の軸部４０、つまり回動中心を外ケース３１の面内方向一側面３１ｆ寄りとし、ラッチ３３が係止姿勢と非係止姿勢に回動し易くするためである。
【００４０】
また、ばね３５にはラッチ保持部材３４の杆体５２が挿通しているので、ラッチ保持部材３４が面内方向に移動する際にばね３５の座屈を防止し、開閉方向振動を抑制するので、ばね３５の自由度が杆体５２で規制され、ばね３５のビビリ音を低減することができる。
【００４１】
ラッチ装置の動作を説明する。
図７（ａ）に示すように、ラッチ３３が非係止姿勢の状態で一方の障子２０ａを開閉方向閉じ側に移動したときの動作（通常動作）。
ラッチ３３が非係止姿勢のときには、係止部４１は被係止部３０ｂの面内方向他側面３０ｂ−１よりも面内方向他側に位置し、トリガ部４２は被係止部３０ｂの一方の側面である開閉方向開き側面３０ｂ−２と対向している。
ラッチ保持部材３４の突部５１はラッチ３３の第１凹部４３に嵌まり合っている。
【００４２】
一方の障子２０ａを矢印ａで示す開閉方向閉じ側に移動すると、トリガ部４２の開閉方向閉じ側面４２ａが被係止部３０ｂの開閉方向開き側面３０ｂ−２に当接し、一方の障子２０ａの移動とともにラッチ３３は図７（ｂ）に示すように軸部４０を中心として矢印ｂ方向に回転する。
ラッチ３３の回転に追従してラッチ保持部材３４はバネ３５に抗して内ケース３２に対して面内方向他側方に移動し、被係止部３０ｂと離れる
【００４３】
一方の障子２０ａが図７（ｃ）に示す閉じ位置に移動すると、ラッチ３３は係止姿勢に回動し、係止部４１の開閉方向開き側面４１ａが被係止部３０ｂの他方の側面である開閉方向閉じ側面３０ｂ−３に接すると共に、ラッチ保持部材３４がばね３５で前記面内方向一側位置まで移動し、突部５１がラッチ３３の第２凹部４４に嵌まり合い、ラッチ３３を係止姿勢に位置決めして保持する。
【００４４】
これによって、一方の障子２０ａを閉じ位置において小さな操作力で開き側に移動しないように規制して保持することができる。
【００４５】
図８（ａ）に示すように、ラッチ３３が係止姿勢の状態で一方の障子２０ａを開閉方向閉じ側に移動したときの動作（逆折れ時動作）。
ラッチ３３が係止姿勢のときには、ラッチ３３の係止部４１が被係止部３０ｂの面内方向他側面３０ｂ−１よりも面内方向一側寄りに位置し、開閉方向開き側面３０ｂ−２と対向する。
ラッチ保持部材３４の突部５１はラッチ３３の第２凹部４４に嵌まり合い、ラッチ３３を係止姿勢で位置決めして保持する。
【００４６】
一方の障子２０ａを矢印ａで示す開閉方向閉じ側に移動すると、ラッチ３３の係止部４１の開閉方向閉じ側面４１ｂが被係止部３０ｂの開閉方向開き側面３０ｂ−２に接し、その開き側面３０ｂ−２に沿って滑りながらラッチ３３は面内方向他側方に移動する。
これにより、ラッチ３３に面内方向他側方に向かう力が負荷し、ラッチ３３はラッチ保持部材３４とともにばね３５を圧縮しながら面内方向他側方に移動する。
【００４７】
そして、一方の障子２０ａが閉じ位置に移動すると、ラッチ３３の係止部４１が被係止部３０ｂの面内方向他側面３０ｂ−１と離れ、ラッチ３３はばね３５の力で面内方向一側方に移動し、ラッチ３３の係止部４１の開閉方向開き側面４１ａが被係止部３０ｂの開閉方向閉じ側面３０ｂ−３に沿って面内方向一側方に移動し、図８（ｃ）に示すようにラッチ３３及びラッチ保持部材３４は前述の面内方向一側位置に移動し、係止部４１の開閉方向開き側面４１ａが被係止部３０ｂの開閉方向閉じ側面３０ｂ−３に接すると共に、ラッチ保持部材３４の突起５１がラッチ３３の第２凹部４４に嵌まり合い、ラッチ３３を係止姿勢に位置決めして保持する。
【００４８】
これによって、通常動作と同様に一方の障子２０ａを閉じ位置において小さな操作力では開き側に移動しないように規制して保持することができる。
【００４９】
ラッチ３３が図８（ａ）の状態から図８（ｂ）の状態まで面内方向他側方に移動するとき、ラッチ３３の軸部４０は内ケース３２のラッチ取付部３７のラッチ支承孔３８に沿って移動し、その軸部４０に負荷がかかることがない。
したがって、ラッチ装置を長期間使用しても軸部が折れたり、折曲することがなく、ラッチ３３が係止姿勢と非係止姿勢とに渡って長期間スムーズに回動するようにできる。
【００５０】
次に、ラッチ装置の第２実施形態を説明する。
図９と図１０に示すように、外ケース３１の面内方向一側面３１ｆにおける第２壁３１ｂ寄りに突出壁６０を面内方向一側方（上方）に向けて設けてある。
突出壁６０は、ラッチ３３が面内方向一側位置に保持されているときの軸４０よりも面内方向一側方に位置している。
突出壁６０は、開閉方向と直角方向に向かう第１突出壁６１と、第１突出壁６１の開閉方向と直角方向両端部に開閉方向に向けて設けた一対の第２突出壁６２とでコ字形状である。
第１突出壁６１は第２壁３１ｂに面内方向一側方（上方）に向けて設けてある。第１突出壁６１の開閉方の一方側で、ラッチ３３に向かう一側面６１ａは、外ケース３１の第２壁３１ｂの内面３１ｂ−１に形成した溝３１ｂ−２の底面と連続している。
一対の第２突出壁６２は第３壁３１ｃ及び第４壁３１ｄに面内方向一側方（上方）に向けて設けてある。一対の第２突出壁６２の開閉方向と直角方向に対向した一側面６２ａは第３壁３１ｃ、第４壁３１ｄの内面と連続している。
【００５１】
図１１に示すように、ラッチ３３が係止姿勢の状態で、一方の障子２０ａを開閉方向閉じ側に移動すると、ラッチ３３の係止部４１の開閉方向閉じ側面４１ｂが被係止部３０ｂの開閉方向開き側面３０ｂ−２に接する。
この状態から、一方の障子２０ａを開閉方向閉じ側に移動すると、ラッチ３３は、被係止部３０ｂの開き側面３０ｂ−２に沿って滑りながら軸４０を中心として開閉方向開き側に回動してラッチ保持部材３４とともにばね３５を圧縮しながら面内方向他側方に移動する。
このとき、ラッチ３３は軸４０を中心としてトリガ部４２の開閉方向開き側面４２ｂが突出壁６０の第１突出壁６１の内側面６１ａに接するまで回動し、その後はラッチ３３は回動せずにトリガ部４２の開き側面４２ｂが第１突出壁６１の内側面６１ａ及び外ケース３１の第２壁３１ｂの溝３１ｂ−２に沿って面内方向他側方に移動する。
【００５２】
これにより、ラッチ３３が係止姿勢の状態で一方の障子２０ａを開閉方向閉じ側に移動したときのラッチ３３の軸４０を中心とする開閉方向開き側への回動角度が、突出壁６０を設けていない外ケースを用いたラッチ装置のラッチの回動角度よりも小さい。
【００５３】
このようであるから、係止姿勢のラッチ３３を小さな力で面内方向他側方に移動することができる。
つまり、突出壁６０がない第１実施形態の外ケース３１であると、係止姿勢のラッチ３３は、図８（ｂ）に示すように、トリガ部４２の開き側面４２ｂが外ケース３１の第２壁３１ｂの溝３１ｂ−２に接するまで軸４０を中心として開閉方向開き側に回動するので、ラッチ３３の回動角度が、突出壁６０を有した外ケース３１と比べて大きくなるから、係止姿勢のラッチ３３を面内方向他側方に移動する力は、突出壁６０がある場合よりも大きくなる。
【００５４】
したがって、ラッチ３３が係止姿勢の状態で、一方の障子２０ａを閉じ位置まで軽い力で移動することができる。
【００５５】
また、上部にラッチ本体部３０ａを備えた開閉体２０を、建具の運搬や施工時などに天地を逆にして床面に置いた場合、突出壁６０が床面に接し、突出壁６０が開閉体２０の荷重を主として支えるので、ラッチ３３、内ケース３２等を保護することができる。
【００５６】
図１２と図１３に示すように、内ケース３２に突起７０を設け、突起７０を外ケース３１の１つの内ケース接触面に接することで、内ケース３２が外ケース３１の凹部３１ｇ内で開閉方向にガタつき音を発生することを抑制している。
実施形態では、内ケース３２のラッチ取付部３７の一対のラッチ取付壁３７ａ,３７ａの開閉方向開き側面３７ａ−１に突起７０が設けてある。
突起７０は、ラッチ取付壁３７ａの開き側面３７ａ−１から突出し、その突出した面内方向の形状が半円形状で、ラッチ取付壁３７ａの開き側面３７ａ−１の面内方向中間部分にのみ設けてある。
【００５７】
ラッチ取付壁３７ａの開閉方向開き側寄りには長孔７１が形成してある。長孔７１は面内方向に長く、ラッチ取付壁３７ａの開閉方向と直角方向の両側面に開口している。
ラッチ取付壁３７ａにおける開き側面３７ａ−１と長孔７１との間の部分３７ａ−２は、開閉方向の寸法（肉厚）が小さな板状で、その部分３７ａ−２は開閉方向に弾性変形し易い。
突起７０は、ラッチ取付壁３７ａの開き側面３７ａ−１と長孔７１との間の部分３７ａ−２における面内方向中間の開き側面３７ａ−１に設けてある。
つまり、ラッチ取付壁３７ａの突起７０の裏側に空隙（長孔７１）を設けることで、ラッチ取付壁３７ａの突起７０を設けた部分に柔軟性をもたせている。
【００５８】
このようであるから、内ケース３２がラッチ３３、ラッチ保持部材３４とともに外ケース３１の凹部３１ｇ内を面内方向に移動するときに、突部７０が外ケース３１の第２壁３１ｂの内面３１ｂ−１に接しながら移動し、内ケース３２が開閉方向の開き側、閉じ側に交互に動いて外ケース３１の凹部３１ｇに繰り返して当たることで音を発生することを抑制する。
しかも、突起７０はラッチ取付壁３７ａの柔軟性を有した部分に設けてあり、突起７０が第２壁３１ｂの内面３１ｂ−１に接触することで、内ケース３２の移動抵抗が大きくなることがなく、内ケース３２はスムーズに面内方向に移動することができる。
【００５９】
この実施の形態のラッチ本体部３０ａは、外ケース３１と内ケース３２とラッチ３３とラッチ保持部材３４とバネ３５とで構成しているから、ラッチ本体部３０ａの部品点数を少なく、コストを安くできると共に、組立性を向上できる。
本発明のラッチ装置は建具に限らず、収納棚や家具などにも使用することができる。
【符号の説明】
【００６０】
１０…枠体、２０…開閉体、２０ａ…一方の障子、３０…ラッチ装置、３０ａ…ラッチ本体部、３０ｂ…被係止部、３１…外ケース（本体部）、３２…内ケース（ラッチ取付部材）、３３…ラッチ、３４…ラッチ保持部材、３５…ばね、３８…軸支承孔、４０…軸部、４１…係止部、４２…トリガ部、６０…突出壁、７０…突起。
【図１】
2014198993.tif 000003
【図２】
2014198993.tif 000004
【図３】
2014198993.tif 000005
【図４】
2014198993.tif 000006
【図５】
2014198993.tif 000007
【図６】
2014198993.tif 000008
【図７】
2014198993.tif 000009
【図８】
2014198993.tif 000010
【図９】
2014198993.tif 000011
【図１０】
2014198993.tif 000012
【図１１】
2014198993.tif 000013
【図１２】
2014198993.tif 000014
【図１３】
2014198993.tif 000015